(57)【要約】【課題】ボルト挿入の作業性を悪化することなく、取付脚の余肉を削減してコストアップなく軽量化を実現した取付脚を持つ圧縮機を提供する。【解決手段】取付脚２は、マウンと面２ａから反マウント面２ｂまでの間はボルト５が貫通可能なようにほぼ中央部に貫通穴が設けられ、マウント面２ａと反マウント面２ｂの断面形状を約５ｍｍ〜１０ｍｍ連続させ、長さＬ３の略Ｕ字形状部６との間をボルト５の直径より小さい切欠きにより略平行部を備えた略鍵型形状７で構成する。【選択図】図２
2006170162.tif 000002
【特許請求の範囲】
【請求項１】
冷媒を吸入する吸入口と、冷媒を吐出する吐出口とを有し、前記吸入口より吸入した冷媒を圧縮する圧縮機構を内蔵し、その外郭に複数の取付脚を有し、前記取付脚を介してボルト等の締結部品によりエンジン等の車両部品に取付けられる圧縮機において、前記取付脚の形状を、両端面の略中央部に前記ボルトが貫通する穴を有した形状とし、前記取付脚の軸方向のほぼ中央部は、軸方向に垂直な断面形状において前記ボルトが貫通する穴よりも大きい切欠きを有する略Ｕ字形状で構成し、該略Ｕ字形状部の前記両端面側は、前記ボルトの直径より小さい切欠きを有する略鍵型形状の断面形状で構成したことを特徴とする圧縮機。
【発明の詳細な説明】
【技術分野】
【０００１】
本発明は、流体の圧縮を行う圧縮機に関するもので、特に自動車用空調装置などに用いられる圧縮機に関するものである。
【背景技術】
【０００２】
従来、この種の圧縮機は、略円筒形状の筐体に取付脚を設け、エンジンにブラケットを介してボルト等の締結部品により車両に締結されている。この場合車両への組付け作業性を考慮し、取付脚の幅は前記略円筒形の直径とほぼ同等から約半分の長さに設定されている。
【０００３】
図３及び図４に、従来の圧縮機の取付脚の説明図を示す。なお、図３には取付脚２の正面図と側面図、及び横断面図と軸方向に垂直な縦断面図を示し、図４には取付脚２の正面図と軸方向に垂直な縦断面図、及びブラケット３の要部断面図を示す。
【０００４】
ところで、この取付脚２に求められる機能は、車両側に設けられたブラケット３に確実にマウント面２ａが当たるとともに、ボルト５等の締結部品が反マウント面２ｂに当たり、締付け時の軸力を保持できる強度と車両搭載時に加振される力に耐えうる耐久性を有していることである。一般的には車両側のマウント面２ａ及びその反対側の反マウント面２ｂは、そのほぼ中央部に締結用のボルト５が貫通する穴を有した円形または矩形形状で構成されているのが普通である。取付脚２に求められる前記の機能を満足していればマウント面２ａから反マウント面２ｂまでは同一形状である必要はなく、長さ方向のほぼ中央部を略Ｕ字形状にて余肉を削減しているのが普通である。
【０００５】
しかし略Ｕ字形状の断面を持つ略Ｕ字形状部６の長さＬ３は、図３に示す各部の寸法において次式を満足する範囲以上には大きくできない。
【０００６】
（Ｄ−ｄ）（Ｌ３／Ｌ２−１／２）＜Ｒ        （式１）
ここで、Ｌ２：反マウント面から略Ｕ字形状までの長さ
Ｌ３：略Ｕ字形状部の長さ
Ｄ：ボルトの貫通孔径
ｄ：ボルトの外径
Ｒ：取付脚の外形の半径
その理由は、ボルト５の貫通孔径とボルト５の外径との差（Ｄ−ｄ）と、反マウント面２ｂから略Ｕ字形状６までの長さＬ２とで決まるボルト５の傾きにより、マウント面２ａ側に設けられた穴をボルト５の先端にて探って通すことが困難となりその作業性が悪化するという問題があるためである。
【０００７】
略Ｕ字形状部６の長さＬ３を（式１）に示す関係よりも大きくする場合には、図４に示すように、略Ｕ字形状６の中央部付近にガイドリブ８を設けてボルト５の挿入性を改善した例はあるが、取付脚２のほぼ中央部に設けられたガイドリブ８にボルト５が貫通可能な穴を開けなくてはならず、その穴は殆どの場合加工によって空けられるのが一般的であるが、筐体の略円筒形状の直径とほぼ同等から約半分くらいの幅のほぼ中央部にあるガイドリブ８に穴を開けるには加工ストロークが長くなりコストアップを招く結果となっていた。しかし、このような先行技術は文献公知発明に係るものでないため、記載すべき先行技術文献情報はない。
【０００８】
我々は略Ｕ字型の断面形状から略鍵型形状の断面形状を経てマウント面と反マウント面につなげる形状の取付脚形状にすることによって、中央部にガイドリブ等を設けることなく更に余肉を削減することが可能となり、その結果、従来よりコストアップすることなく軽量で安価な圧縮機を提供できるようになる。
【発明の開示】
【発明が解決しようとする課題】
【０００９】
前記従来の構成では、取付脚に求められる締結条件、強度条件、耐久条件の基本条件以外の制約であるボルトの取付作業性の制約のため、取付脚の余肉を削減させることができなかった。
【００１０】
そこで、本発明は上述の従来の課題に鑑み、取付脚の断面形状を組合わせることにより、従来に比べ余肉を削減し加工コスト等の特別なコストアップを招くことなく安価な圧縮機を提供することは勿論のこと、より軽量な圧縮機を提供することを目的とするものである。
【課題を解決するための手段】
【００１１】
前記従来の課題を解決するために、本発明による圧縮機は、冷媒を吸入する吸入口と、冷媒を吐出する吐出口とを有し、吸入口より吸入した冷媒を圧縮する圧縮機構を内蔵し、その外郭に複数の取付脚を有し、取付脚を介してボルト等の締結部品によりエンジン等の車両部品に取付けられる圧縮機において、取付脚の形状を、両端部のほぼ中央部にボルトが貫通する穴を有した形状とし、軸方向のほぼ中央部は、軸方向に垂直な断面形状においてボルトが貫通する穴よりも大きい切欠きを有する略Ｕ字形状で構成し、この略Ｕ字形状の断面をもつ中央部の両端面側は、ボルトの直径より小さい切欠きを有する略鍵型形状の断面形状にて構成している。
【発明の効果】
【００１２】
本発明の圧縮機はこのような構成により、取付脚に求められる締結条件、強度条件、耐久条件を満足し可能な限り従来に比べ余肉を削減し加工コスト等の特別なコストアップを招くことなく安価な圧縮機を提供できることは勿論のこと、より軽量な圧縮機を提供することができる。
【発明を実施するための最良の形態】
【００１３】
第１の発明は冷媒を吸入する吸入口と、冷媒を吐出する吐出口とを有し、前記吸入口より吸入した冷媒を圧縮する圧縮機構を内蔵し、その外郭に複数の取付脚を有し、前記取付脚を介してボルト等の締結部品によりエンジン等の車両部品に取付けられる圧縮機でおいて、前記取付脚の形状を、両端面のほぼ中央部に前記ボルトが貫通する穴を有した形状とし、前記取付脚の軸方向の断面形状においてほぼ中央部には前記両端面の円形または矩形形状を前記ボルトが貫通する穴よりも大きい切欠きを有する略Ｕ字形状で構成し、前記略Ｕ字形状の断面をもつ中央部と前記両端面の間を、それぞれ前記ボルトの直径より小さい切欠きを有する略鍵型形状の断面をもつ形状にてつながっていることを特徴とすることにより、コストアップを招くことなく従来に比べ可能な限り余肉を削減でき軽量化が可能となる。
【００１４】
以下、本発明の実施の形態について、図面を参照しながら説明する。なお、この実施の形態によって本発明が限定されるものではない。
【００１５】
（実施の形態１）
図１は、本発明の実施の形態１における圧縮機をブラケットへ取り付ける状態を示す斜視図である。図示したように、この圧縮機１においては、冷媒を圧縮する圧縮機構を内蔵する略円筒状の筐体の外郭に同一幅の取付脚２を合計４箇所備えている。この取付脚２により圧縮機１はブラケット３を介しエンジン４にボルト５により締結される。
【００１６】
図２は、本発明の実施の形態１における圧縮機の取付脚の説明図で、取付脚２の正面図と軸方向に垂直な縦断面図、及びブラケット３の要部断面図を示す。
【００１７】
ブラケット３には、ボルト５のネジ部と係合するメネジ部３ａと取付脚２と接合される接合面３ｂを有している。取付脚２は接合面３ｂと接するマウント面２ａと、ボルト５の頭部と接合する反マウント面２ｂとを備えている。マウント面２ａと反マウント面２ｂのほぼ中央部は、Ｌ３の寸法にわたって一方に開放された略Ｕ字形状の切欠きを備えた略Ｕ字形状部６で構成され、（式１）の関係を満たしている。
【００１８】
更に取付脚２は、マウンと面２ａから反マウント面２ｂまでの間はボルト５が貫通可能なようにほぼ中央部に貫通穴が設けられ、マウント面２ａと反マウント面２ｂの両端部はその断面形状を約５ｍｍ〜１０ｍｍ連続させ、長さＬ３の略Ｕ字形状部６との間をボルト５の直径より小さい切欠きにより略平行部を備えた略鍵型形状部７で構成している。
【００１９】
以上のように構成された取付脚２にボルト５を通す場合、上記式１を満足しているのでボルト５が取付脚２の略Ｕ字形状部６から外れることなく取付作業性に支障をきたすことなく、図３に示す従来例に比べ、略鍵型形状部７の切欠きの分だけ重量を軽くすることができ、軽量の圧縮機を提供することが可能となる。
【産業上の利用可能性】
【００２０】
以上のように、本発明にかかる圧縮機は、ブラケットを介してエンジンに取り付けられる場合を例に採り説明したが、本発明はこれに限定されるものではなく、ブラケットがなく直接エンジンに取付ける場合や、ブラケットの有無にかかわらず、エンジン以外の部品に取付ける場合であっても適用が可能である。
【図面の簡単な説明】
【００２１】
【図１】本発明の実施の形態１における圧縮機をブラケットへ取り付ける状態を示す斜視図
【図２】同圧縮機の取付脚の説明図
【図３】従来の圧縮機の取付脚の説明図
【図４】他の従来の圧縮機の取付脚の説明図
【符号の説明】
【００２２】
１  圧縮機
２  取付脚
３  ブラケット
４  エンジン
５  ボルト
６  略Ｕ字形状部
７  略鍵型形状部
【図１】
2006170162.tif 000003
【図２】
2006170162.tif 000004
【図３】
2006170162.tif 000005
【図４】
2006170162.tif 000006